(57)【要約】      （修正有）【課題】低コストで複数台の表示機に対し、表示情報をインターネット回線を通じて送信させ、表示させる。【解決手段】複数台の表示機２其々はインターネット回線３を通じ、一定時間ごとに特定のＵＲＬにｈｔｔｐクライエントとしてアクセスする。各表示機２からのアクセスを受信するサーバ４においては、予め各表示機２ごとに設定され、一定時間ごとに各表示機２からサーバ４に対するアクセスを行うための識別コードが予めサーバ４のメモリ内に記憶された識別コードと一致するかどうかを認証する。受信された識別コードと予め記憶された識別コードとが一致した場合、当該認証された表示機２に対応し、予めサーバ４のメモリ内に記憶される表示情報を、識別コード認証手段により認証された表示機２に向けて送信する。【選択図】図１
2015210762.tif 000002
【特許請求の範囲】
【請求項１】
複数台の各表示機側においては、インターネット回線を通じ、一定時間ごとに特定のＵＲＬにｈｔｔｐクライエントとしてアクセスし、通信を行うネットワーク通信インターフェイスが備えられ、
一方、複数台の各表示機側からのアクセスを受信し、各表示機側へ各表示機が表示するための文字、記号、図形により構成される表示情報を送信し、インターネット環境における特定のＵＲＬに基づき、前記複数台の各表示機側からのアクセスを受信するサーバにおいては、
予め各表示機ごとに設定され、一定時間ごとに各表示機からサーバに対するアクセスを行うための識別コードを受信する識別コード受信手段と、
識別コード受信手段により受信された識別コードが予めサーバのメモリ内に記憶された識別コードと一致するかどうかを認証する識別コード認証手段と、
識別コード認証手段により受信された識別コードが予め記憶された識別コードとが一致された状態において、当該認証された表示機に対応し、予めサーバのメモリ内に記憶される表示情報を、識別コード認証手段により認証された表示機に向けて送信する表示情報の送信手段と、
を備えたことを特徴とする表示機の管理システム。
【請求項２】
予めサーバのメモリ内に記憶される表示情報は、各表示機が設置される場所、地域や当該表示機のジャンル別に独自の内容のものが設定され、表示情報の送信手段は、識別コード認証手段により認証された表示機の識別コードが、当該表示機に対し、予めが設置される場所、地域や当該表示機のジャンル別のものとして特定し、予めサーバのメモリ内に記憶され、独自の内容からなる特定された表示情報を送信することとしてなる請求項1に記載の表示機の管理システム。
【請求項３】
各表示機においては、表示機の他に警告灯が備えられる一方、上記サーバから各表示機に対して表示情報を送信する表示情報の送信手段は、各表示機において緊急の表示情報を表示させるための緊急表示情報を送信する他、当該表示機の警告灯を一定時間点灯表示するための点灯作動情報を送信するものである請求項1に記載の表示機の管理システム。
【発明の詳細な説明】
【技術分野】
【０００１】
本発明は、店舗や街中などに設置され、通行人や店舗来店者などに情報を提供して表示する表示機に関し、その複数を管理するための表示機の管理システムに関する。
【背景技術】
【０００２】
最近、コンビニエンスストアなどの店頭や街中に設置される自動販売機の上部などにおいて、ＬＥＤ表示機を設置する例がみられる。こうして設置される表示機においては、通行人や店舗来店者に向け、商品情報や店舗に関する広告情報を提供する他、天気予報、ニュースを伝達するためのメディアツールとしても利用されている。  
【０００３】
こうした店頭や街中に設置される表示機に対しては、特定のサーバから各表示機に対し、定期的に各表示機に表示するための文字情報等を送信することとしており、そのため、各表示機においては無線あるいは有線でサーバから送信された情報を受信するためのインターフェイスが設置されている。
【０００４】
例えば下記特許文献1においては、各表示機にインターネットに接続される通信インターフェイスが備えられ、特定のＵＲＬに対し定期的に接続し、該表示機に表示するべき情報（文字情報、画像情報等）をダウンロードして表示させることとしていた。
【先行技術文献】
【特許文献】
【０００５】
【特許文献１】特開２００８−９０２４０号
【発明の概要】
【発明が解決しようとする課題】
【０００６】
すなわち、上記特許文献１に示す表示機においては、表示機ごとにインターネットを通じて特定のＵＲＬにアクセスするための通信手段が備えられ、加えてＵＲＬ側のサーバにおいては、各表示機との間で通信し、各表示機を管理して認識するための固定のＩＰアドレスを必要としていた。すなわち、サーバ側においては、各表示機側からの定期的なアクセスに基づき、その表示機固有の固定ＩＰアドレスを認識し、当該表示機において表示すべき情報（文字情報、画像情報等）をダウンロードさせるようにしていた。
【０００７】
こうした通信方式によると、表示機ごとにそれぞれ固定ＩＰアドレスが必要となり、その分通信コスト、あるいは表示機の設置コストが嵩む不具合があった。
【０００８】
また、こうした通信方式によると、各表示機に対し、インターネット回線を通じて外部よりアクセスすることが可能となるため、各表示機においてセキュリティを確保するための固有の手段（ファイアウォール、最新のセキュリティソフトウェアの更新）が必要となり、その分コストがかかるという不具合があった。
【０００９】
本発明は、こうした従来の不具合に着目してなされたものであり、低コストで複数台の表示機に対し、表示情報をインターネット回線を通じて送信させ、表示させることを目的とするものである。
【課題を解決するための手段】
【００１０】
上記目的を達成するため、本発明の請求項１は、複数台の各表示機側においては、インターネット回線を通じ、一定時間ごとに特定のＵＲＬにｈｔｔｐクライエントとしてアクセスし、通信を行うネットワーク通信インターフェイスが備えられ、一方、複数台の各表示機側からのアクセスを受信し、各表示機側へ各表示機が表示するための文字、記号、図形により構成される表示情報を送信し、インターネット環境における特定のＵＲＬに基づき、前記複数台の各表示機側からのアクセスを受信するサーバにおいては、予め各表示機ごとに設定され、一定時間ごとに各表示機からサーバに対するアクセスを行うための識別コードを受信する識別コード受信手段と、識別コード受信手段により受信された識別コードが予めサーバのメモリ内に記憶された識別コードと一致するかどうかを認証する識別コード認証手段と、識別コード認証手段により受信された識別コードが予め記憶された識別コードとが一致された状態において、当該認証された表示機に対応し、予めサーバのメモリ内に記憶される表示情報を、識別コード認証手段により認証された表示機に向けて送信する表示情報の送信手段と、を備える表示機の管理システムとしている。
【００１１】
また、本発明の請求項２は、予めサーバのメモリ内に記憶される表示情報を、各表示機が設置される場所、地域や当該表示機のジャンル別に独自の内容のものが設定し、表示情報の送信手段は、識別コード認証手段により認証された表示機の識別コードが、当該表示機に対し、予めが設置される場所、地域や当該表示機のジャンル別のものとして特定し、予めサーバのメモリ内に記憶され、独自の内容からなる特定された表示情報を送信することとしている。
【００１２】
また、本発明の請求項３は、各表示機においては、表示機の他に警告灯が備えることとし、上記サーバから各表示機に対して表示情報を送信する表示情報の送信手段は、各表示機において緊急の表示情報を表示させるための緊急表示情報を送信する他、当該表示機の警告灯を一定時間点灯表示するための点灯作動情報を送信するものとしている。
【発明の効果】
【００１３】
本発明に係る表示機の管理システムによれば、各表示機が設置される店舗や自動販売機等の設置店舗（場所）において、既存のインターネット接続環境があれば、そのプロバイダＩＤを利用し、表示機ごとにインターネット回線を通じて特定のＵＲＬに係るサーバにアクセスし、該サーバから当該表示機に表示すべき表示情報を受信することができ、低コストで複数台の表示機に対し、表示情報をインターネット回線を通じて送信させ、表示させることができるという効果がある。
【図面の簡単な説明】
【００１４】
【図１】本発明の一実施形態に係る表示機の管理システムが適用される環境を示すネットワーク図である。
【図２】実施形態に係る表示機の管理システムにおけるサーバと各表示機の構成を示すブロック図である。
【図３】各地域別に設置される表示機の表示内容を示す説明図である。
【図４】サーバのメモリ内に記憶される表示情報の各例を示す説明図である。
【図５】各表示機側において、表示情報を表示させるためのプロセスを示すフローチャートである。
【発明を実施するための形態】
【００１５】
以下、本発明の一実施形態に係る表示機の管理システムを図１ないし図５に基づいて説明する。実施形態に係る表示機の管理システム１は、図１に示すように駅前、公共スペース（市役所、公民館、消防署、警察等）、商業施設（デパート、スーパーマーケット、コンビニエンスストアなど）、各店舗前などに設置される表示機２と、各表示機２とインターネット回線３で接続され、これら複数台の表示機２を統括管理するサーバ４とにより構成される。
【００１６】
すなわち、各表示機２は、例えば店舗前などに設置されて通行人や店舗の入店者らの看者に情報を提供するものとされ、実施例では縦長で複数個のＬＥＤ素子を全体マトリックス状に配列してなるＬＥＤ表示パネル５を備えてなる。すなわち、各表示機２のＬＥＤ表示パネル５は、マトリックス状のＬＥＤ素子を選択的かつ動的に点灯させ、文字、記号、図形などの表示情報を電光表示可能とするものである。ＬＥＤ表示パネル５における表示情報の動的点灯は、通常、文字、記号、図形などの表示情報を上方から下方に、あるいは下方から上方に経時的に流れるように変化させて表示させ、看者に向けて情報を提供するものとされる。
【００１７】
また実施形態において、各表示機２は、ＬＥＤ表示パネル５の他に上部に警告灯６を備えるようにしている。警告灯６は一般に回転警告灯と称され、緊急時において赤色で点滅点灯し、看者あるいは周囲の通行人に向けて警告情報を提供するものである。
【００１８】
実施形態に係る表示機の管理システム１において、各表示機２側には、インターネット回線３を通じ、予め設定された一定時間（アクセス間隔：例えば１分〜６０分）ごとに、特定のＵＲＬにｈｔｔｐクライエントとしてサーバ４にアクセスして通信を行うネットワーク通信インターフェイス７が備えられる（図２参照）。
【００１９】
一方、複数台の各表示機２側からのアクセスを受信し、各表示機２側へ各表示機２が表示するための文字、記号、図形により構成される表示情報Ｘを送信するサーバ４においては、インターネット環境における特定のＵＲＬ（サーバ４側において設定されるサーバＵＲＬ）に基づき、前記複数台の各表示機側２からのアクセスを受信するようにしている。すなわち、サーバ４においては、予め各表示機２ごとに設定され、一定時間（アクセス間隔：例えば１分〜６０分）ごとに各表示機２からサーバ４に対するアクセスを行うための識別コードＹを受信する識別コード受信手段８が備えられる（図２参照）。
【００２０】
またサーバ４においては、識別コード受信手段８により受信された識別コードＹが、予めサーバ４のメモリ９内に記憶された識別コードＹと一致するかどうかを認証する識別コード認証手段１０が備えられる（図２参照）。
【００２１】
さらにサーバ４においては、識別コード認証手段１０により、受信された識別コードＹが予めメモリ９に記憶された識別コードＹとが一致された状態において、当該認証された表示機２に対応し、予めサーバ２のメモリ９内に記憶される表示情報を、識別コード認証手段１０により認証された表示機２に向けて送信する表示情報Ｘの送信手段１１が備えられる（図２参照）。
【００２２】
予めサーバ４のメモリ９内に記憶される表示情報Ｘとしては、各表示機２が設置される場所（繁華街、住宅地等）、地域（例えば区、市町村単位）や当該表示機２のジャンル（金融機関、教育機関、交通機関など）別に独自の内容のものが設定され、メモリ９内において表示情報１、表示情報２、表示情報３、表示情報ｎのように複数記憶される。表示情報Ｘの送信手段１１は、識別コード認証手段１０により認証された表示機２の識別コードＹが、当該表示機２に対し、予めが設置される（繁華街、住宅地等）、地域（例えば区、市町村単位）や当該表示機２のジャンル（金融機関、教育機関、交通機関など）別のものとして特定し、予めサーバ４のメモリ９内に複数記憶された表示情報１ないし表示情報ｎの中から、独自の内容として特定された表示情報Ｘを送信することとしている。
【００２３】
例えば図２の識別コードID_1000は、表示機２の設置地域が「上野」、ジャンルが「占い」とされ、例えば女子高生やＯＬが比較的集まりやすい場所に表示機２が設置されている特性に合わせて表示情報Ｘを選択し、送信することとしている。また識別コードID_1010は、表示機２の設置地域が「大宮」、ジャンルが「株価日経平均」とされ、例えば金融機関内に表示機２が設置されている特性に合わせて表示情報Ｘを選択し、送信することとしている。さらに識別コードID_1020は、表示機２の設置地域が「高崎」、ジャンルが「音楽」とされ、例えば喫茶店、レコード店前に表示機２が設置されている特性に合わせて表示情報Ｘを選択し、送信することとしている。このように、サーバ４のメモリ９内には、場所、地域、ジャンル別に予め複数設定・記憶され、その中から送信先の表示機２の属する独自の内容として特定された表示情報Ｘを当該表示機２に送信することとしている。
【００２４】
こうしてサーバ４からインターネット回線３により各表示機２に送信される表示情報Ｘに基づき、図３にしめすように各場所、地域に設置される表示機２は、それぞれ当該表示機２の属する独自の内容として特定された表示情報Ｘを、ＬＥＤ表示パネル５の部分において動的に点灯させることとなる。例えば、ある場所（東京）、地域、ジャンルＡに属する表示機２のＬＥＤ表示パネル５においては、「本日の天気、東京」、「市役所からのお知らせ」、「明日は〇〇小で運動会」、「グリーンディー実施」など比較的、地域における特色情報を上方から下方に、あるいは下方から上方に経時的に流れるように変化させて表示させ、看者に向けて提供可能としている。また、ある場所（横浜）、地域、ジャンルＢに属する表示機２のＬＥＤ表示パネル５においては、「本日の天気、横浜」、「日経平均株価」、「ニュース、国際・経済」、「〇スーパー本日開店」など比較的、表示機２が設置される会社の特色情報を上方から下方に、あるいは下方から上方に経時的に流れるように変化させて表示させ、看者に向けて提供可能としている。さらに、ある場所（宇都宮）、地域、ジャンルＣに属する表示機２のＬＥＤ表示パネル５においては、「確定申告はお早めに」「本日の天気、宇都宮」、「放射線モニタリング測定値」、「ニュース  スポーツ」など比較的、場所や地域における特色情報を上方から下方に、あるいは下方から上方に経時的に流れるように変化させて表示させ、看者に向けて提供可能としている。
【００２５】
このように表示内容は、予めサーバ４のメモリ９内において場所、地域、ジャンルに基づいて表示情報１ないし表示情報ｎのように複数設定、記憶されるようにしており、その内容はサーバ４内において複数のカテゴリが存在し、それらカテゴリごとのパッケージを組み合わせ、自動編集されて構成される。例えば、図４で示すようにカテゴリ番号１においては、内容として「ニュース  全国ニュース  星占い」のパッケージが存在し、対象の表示機２において随時連続表示されるための情報が存在する。こうした表示情報Ｘは、主にニュース配信会社からサーバ４に送信される情報ソースにより構成される。またカテゴリ番号1においては、内容として「地域情報  市役所からのお知らせ／防犯情報」のパッケージが存在し、対象の表示機２において８時から１９時３０分の間に表示されるための情報が存在する。こうした表示情報Ｘは、地方自治体の担当窓口からサーバ４に送信される情報ソースにより構成される。さらにカテゴリ番号1においては、内容として「広告」のパッケージが存在し、対象の表示機２において１２時から１５時の間に表示されるための情報が存在する。こうした表示情報は、広告会社の担当窓口からサーバ４に送信される情報ソースにより構成される。
【００２６】
同様に図４で示すようにカテゴリ番号２においては、内容として「ニュース  全国ニュース  スポーツ」のパッケージが存在し、対象の表示機２において随時連続表示されるための情報が存在する。こうした表示情報Ｘは、主にニュース配信会社からサーバ４に送信される情報ソースにより構成される。またカテゴリ番号２においては、内容として「天気予報  地域限定情報」のパッケージが存在し、対象の表示機２において９時から１２時の間に表示されるための情報が存在する。こうした表示情報Ｘは、広告代理店の担当窓口からサーバ４に送信される情報ソースにより構成される。さらにカテゴリ番号２においては、内容として「株式情報  外貨情報」のパッケージが存在し、対象の表示機２においてリアルタイムに表示されるための情報が存在する。こうした表示情報Ｘは、金融情報の配信窓口から随時サーバ４に送信される情報ソースにより構成される。すなわち、サーバ４においては、内蔵される自動編集の機構は、こうして複数存在するカテゴリ中の表示内容のパッケージを組み合わせ、場所、地域、ジャンルに基づいて各表示情報１ないし表示情報ｎを作成して設定し、それぞれ記憶されるようにしている。
【００２７】
さらにパッケージとしては、図４のカテゴリ番号３で示すように、緊急情報１、緊急情報２、緊急情報３からなる対応する各表示機２向けて緊急時に送信される表示情報が設定され、その都度記憶される。こうした緊急情報は、いずれも通常のカテゴリ番号１や２で構成される表示情報Ｘに優先し、それらを割り込む方法で送信され、表示されるものであり、緊急情報１は地震情報であり、緊急情報２は災害情報であり、緊急情報３は津波情報とされる。こうした緊急情報は、警察、消防、気象庁などの公的機関から送信される情報ソースにより構成されるものである。
【００２８】
サーバ４における表示情報Ｘの送信手段１１は、緊急時において、図４のカテゴリ番号３で示す緊急情報１、緊急情報２、緊急情報３からなるパッケージを組み合わせ、設定される表示情報を対応する各表示機２向けて送信するものとされ、この際送信手段１１は対応する各表示機２に向け緊急表示情報を送信する他に、当該表示機２の警告灯６を、一定時間点灯表示するための点灯作動情報についても送信することとしている。
【００２９】
すなわち、各表示機２においては、図５に示す動作がＳＴＡＲＴにより実行され（図５Ｓ１）、先ずサーバ４に対し、インターネット回線３を通じて、予め設定された一定時間（アクセス間隔：例えば１分〜６０分）ごとに、サーバの特定のＵＲＬにｈｔｔｐクライエントとしてアクセス通信を行う（図５Ｓ２）。そしてサーバ４側から送信された表示情報Ｘを受信して取得し、取得された情報に基づき、表示機２のＬＥＤ表示パネル５にストリーミング状態でその情報を表示させることとしている（図５Ｓ３）。
【００３０】
また、受信される表示情報が緊急表示情報である場合、その情報を表示機２のＬＥＤ表示パネル５にストリーミング状態で表示するとともに、サーバ４に受信される情報に緊急時の点灯作動情報が含まれていた場合、当該表示機２の警告灯６を、一定時間点灯表示するようにしている（図５Ｓ４）。
【００３１】
こうした実施形態に係る表示機の管理システム１によれば、各表示機２が設置される店舗や自動販売機等の設置店舗（場所）において、既存のインターネット接続環境（加入プロバイダ）があれば、そのプロバイダＩＤを利用し、表示機２ごとにインターネット回線を通じて特定のＵＲＬに係るサーバ４にアクセスし、該サーバ４から当該表示機２に表示すべき表示情報を受信することができ、低コストで複数台の表示機２に対し、表示情報をインターネット回線３を通じて送信させ、表示させることができる。
【００３２】
以上のように、本実施形態に係る表示機の管理システム１は、低コストで複数台の表示機２に対し、表示情報Ｘをインターネット回線３を通じて送信させ、表示させることできることとなる。
【産業上の利用可能性】
【００３３】
以上のように、本発明に係る表示機の管理システムは、場所、地域、ジャンル別に独自の内容に係る表示情報Ｘを各表示機２に向けて送信し、表示させることが可能となり、場所、地域、ジャンル別にオーダメイドの表示や緊急時の表示、さらに警告を看者に行うことができる可能性がある。
【符号の説明】
【００３４】
１                                  表示機の管理システム
２                                  表示機
３                                  インターネット回線
４                                  サーバ
５                                  ＬＥＤ表示パネル
６                                  警告灯
７                                  ネットワーク通信インターフェイス
８                                  識別コード受信手段
９                                  メモリ
１０                                識別コード認証手段
１１                                表示情報の送信手段
Ｘ                                  表示情報
Ｙ                                  識別コードＹ
【図１】
2015210762.tif 000003
【図２】
2015210762.tif 000004
【図３】
2015210762.tif 000005
【図４】
2015210762.tif 000006
【図５】
2015210762.tif 000007